(57)【要約】【課題】パーマ方式の違いによる必要性と各髮質及びウェーブ具合の違いに基づいて、各前記パーマ用ロッド上で便利にパーマ処理作業を行うことができる、パーマ用ロッドの提供。【解決手段】本発明のパーマ用ロッドは、熱伝導棒と、前記熱伝導棒内に設置され、前記熱伝導棒上に熱を伝導する電熱ユニットと、前記熱伝導棒の一端を封鎖し、内部に外部電源との接続に用いる電源座体が設置された第１キャップと、前記熱伝導棒の他端を封鎖する第２キャップを含み、そのうち、前記第２キャップ内に回路板と、前記第２キャップの外側に突出されたボタンが設置され、前記回路板が主にマイクロプロセッサと、インジケータランプと、押圧スイッチを備え、前記ボタンを介して前記押圧スイッチを押圧し、前記押圧スイッチを前記マイクロプロセッサに電気的に接続させ、前記マイクロプロセッサに前記電熱ユニットの温度、加熱時間及び前記インジケータランプの発光を制御させる。【選択図】図２
2019030574.tif 000002
【特許請求の範囲】
【請求項１】
パーマ用ロッドであって、熱伝導棒と、電熱ユニットと、第１キャップと、第２キャップを含み、
前記熱伝導棒が中空的チャンバを備え、
前記電熱ユニットが前記熱伝導棒の前記チャンバ内に設置され、前記熱伝導棒上に熱を伝導し、
前記第１キャップが前記熱伝導棒一端を封鎖し、前記第１キャップ内に電源座体が固定されて設置され、前記電源座体が外部電源に接続するために用いられ、かつ前記電熱ユニットと電気的に接続され、
前記第２キャップが前記熱伝導棒の他端を封鎖し、
そのうち、前記第２キャップ内に回路板が設置され、前記回路板が主にマイクロプロセッサと、インジケータランプと、押圧スイッチと、前記回路板に相隣し、かつ前記第２キャップの外に突出された透光性のボタンを備え、前記ボタンを押圧することで前記押圧スイッチを押し、前記押圧スイッチを前記マイクロプロセッサに電気的に接続させ、前記マイクロプロセッサに前記電熱ユニットの温度、加熱時間及び前記インジケータランプの発光を制御させることを特徴とする、パーマ用ロッド。
【請求項２】
押圧する回数の違いを通じて前記ボタンが前記マイクロプロセッサを作動させ、前記マイクロプロセッサが押圧回数の違いに基づき前記電熱ユニットの異なる温度と加熱時間を制御し、かつ前記インジケータランプを制御して前記電熱ユニットの温度に対応する色を表示させることを特徴とする、請求項１に記載のパーマ用ロッド。
【請求項３】
設定された前記加熱時間に達すると、前記インジケータランプが点滅することを特徴とする、請求項２に記載のパーマ用ロッド。
【請求項４】
前記電熱ユニットが、電熱シートをロール状に巻いた状態で前記熱伝導棒の前記チャンバ内に収容されたことを特徴とする、請求項１に記載のパーマ用ロッド。
【請求項５】
前記インジケータランプがＬＥＤランプであることを特徴とする、請求項１に記載のパーマ用ロッド。
【請求項６】
前記電熱ユニット内部に設置され、電気的に接続されたサーミスタを含むことを特徴とする、請求項１に記載のパーマ用ロッド。
【請求項７】
前記第２キャップが、前記熱伝導棒の他端上に設置された内蓋と、前記内蓋に連接して固定された外蓋を含み、前記内蓋及び前記外蓋の間に前記回路板を設置するための収容空間が形成されたことを特徴とする、請求項１に記載のパーマ用ロッド。
【請求項８】
前記第２キャップの前記内蓋中央に孔部が設けられ、前記電源座体と前記電熱ユニット及び前記回路板の電気的接続に提供され、前記内蓋の前記外蓋側に向いた表面上に複数の凸嵌部が設けられ、前記回路板の外周縁にこれら凸嵌部をそれぞれ穿置するための複数の凹陥孔が設けられ、前記回路板を前記内蓋上に固定するために用いられることを特徴とする、請求項７に記載のパーマ用ロッド。
【請求項９】
前記外蓋中央に通孔が設けられ、前記ボタンの一端に前記外蓋の前記通孔下端部に当接される阻隔部が設置され、前記阻隔部より外から内に、かつ上に突出した押圧部が設けられ、前記押圧部が前記外蓋の前記通孔の外に突出され、前記押圧部の外側表面に押圧に用いる複数の突起が設けられたことを特徴とする、請求項７に記載のパーマ用ロッド。
【請求項１０】
前記熱伝導棒がアルミニウム材質で成ることを特徴とする、請求項１に記載のパーマ用ロッド。
【発明の詳細な説明】
【技術分野】
【０００１】
本発明はパーマ用ロッドに関し、特に、電熱ユニットの発熱と、熱伝導棒により熱エネルギーを頭髮に伝達し、各前記パーマ用ロッド上でそれぞれ便利にパーマ作業の操作ができる、パーマ用ロッドに関する。
【背景技術】
【０００２】
図１に示すように、一般的なパーマ装置１は各外部接続端１１に複数の加熱ロッド１２が挿入され、通電してパーマ処理をするが、前記パーマ装置１上でパーマの温度及び時間を直接統一操作してパーマを実施する。しかしながら、上述のようなパーマ装置１には実際の使用時に次のような問題点があることが分かった。
【０００３】
前記パーマ装置１はパーマ操作過程で、使用者の各部位の頭髮または各髮質の違いにより、異なるウェーブ効果を達成させたい場合、これら加熱ロッド１２の温度及び加熱時間の制御に異なる調整機能がなければ達成することができない。これら加熱ロッド１２はいずれも前記パーマ装置１によって統一調整されるため、このようなパーマ装置１でこれら加熱ロッド１２の温度及び加熱時間を統一制御する方法では、通常単一の温度状態しか設定できず、前記パーマ装置１が使用者の頭髮の髮質の違い、または痛んだ髮質に対応しなければならない場合、あるいは各部位の頭髮に必要なウェーブ具合が異なる場合、前記パーマ装置１はこれら加熱ロッド１２を異なるパーマ処理温度及び加熱時間に独立調整することができず、前記パーマ装置１でのパーマ過程がスムーズでなくなり、パーマ効果を向上することができない。
【発明の概要】
【発明が解決しようとする課題】
【０００４】
本発明の目的は、現有の前記パーマ装置ではこれら加熱ロッドの温度及び加熱時間が統一調整・制御されるため、これら加熱ロッドの温度またはパーマ時間をそれぞれ個別に制御することが難しく、これら加熱ロッドではそれぞれ個別の温度制御またはパーマ時間調整の効果を効果的に発揮できないという技術問題を解決することができる、パーマ用ロッドを提供することにある。
【０００５】
本発明の発明者は関連製品の製造開発と設計に長年従事した経験に基づき、上述の目的について設計と慎重な評価を行った上で、ついに電熱ユニットの発熱及び熱伝導棒による頭髮への熱エネルギー伝達を通じ、パーマ方式の違いによる必要性と各髮質及びウェーブ具合の違いに基づき、各前記パーマ用ロッド上で便利にパーマ作業を実施することができる、パーマ用ロッドを得るに至ったものである。
【課題を解決するための手段】
【０００６】
現有技術に存在する上述の技術問題による欠点を解決するため、本発明のパーマ用ロッドは、熱伝導棒と、電熱ユニットと、第１キャップと、第２キャップを含み、前記熱伝導棒が中空のチャンバを備え、前記電熱ユニットが前記熱伝導棒の前記チャンバ内に設置され、前記熱伝導棒上に熱を伝達し、前記第１キャップが前記熱伝導棒の一端を封鎖し、前記第１キャップ内に電源座体が固定して設置され、前記電源座体が外部の電源に接続するために用いられ、かつ前記電熱ユニットと電気的に接続され、前記第２キャップが前記熱伝導棒の他端を封鎖し、そのうち、前記第２キャップ内に回路板が設置され、前記回路板が主にマイクロプロセッサと、インジケータランプと、押圧スイッチと、前記回路板に相隣し、かつ前記第２キャップの外に突出された透光性のボタンを備え、前記ボタンを押圧することで前記押圧スイッチを押し、前記押圧スイッチを前記マイクロプロセッサに電気的に接続させ、前記マイクロプロセッサに前記電熱ユニットの温度、加熱時間及び前記インジケータランプの発光を制御させる。
【０００７】
さらに、押圧する回数の違いを通じて前記ボタンが前記マイクロプロセッサを作動させ、前記マイクロプロセッサが押圧回数の違いに基づき前記電熱ユニットの異なる温度と加熱時間を制御し、かつ前記インジケータランプを制御して前記電熱ユニットの温度に対応する色を表示させる。
【０００８】
さらに、加熱時間に到達すると、前記インジケータランプが点滅するように設定される。
【０００９】
さらに、前記電熱ユニットは電熱シートをロール状に巻いた状態で前記熱伝導棒の前記チャンバ内に収容される。
【００１０】
さらに、前記インジケータランプはＬＥＤランプである。
【００１１】
さらに、前記電熱ユニット内部に設置され、電気的に接続されたサーミスタを含む。
【００１２】
さらに、前記第２キャップが、前記熱伝導棒の他端上に設置された内蓋と、前記内蓋に連接して固定された外蓋を含み、前記内蓋及び前記外蓋の間に前記回路板を設置するための収容空間が形成される。
【００１３】
さらに、前記第２キャップの前記内蓋中央に孔部が設けられ、前記電源座体と前記電熱ユニット及び前記回路板の電気的接続に提供され、前記内蓋の前記外蓋側に向いた表面上に複数の凸嵌部が設けられ、前記回路板の外周縁に前記複数の凸嵌部をそれぞれ穿置するための複数の凹陥孔が設けられ、前記回路板を前記内蓋上に固定するために用いられる。
【００１４】
さらに、前記外蓋中央に通孔が設けられ、前記ボタンの一端に前記外蓋の前記通孔下端部に当接される阻隔部が設置され、前記阻隔部より外から内に、かつ上に突出した押圧部が設けられ、前記押圧部が前記外蓋の前記通孔の外に突出され、前記押圧部の外側表面に押圧に用いる複数の突起が設けられる。
【００１５】
さらに、前記熱伝導棒はアルミニウム材質で成る。
【発明の効果】
【００１６】
本発明のパーマ用ロッドは、従来のパーマ装置と比較して次のような利点がある。本発明の前記パーマ用ロッドはパーマ操作の過程で、使用者の頭髮の髮質の違い、または痛んだ髮質、あるいは各部位の頭髮に必要なウェーブ具合に基づいて、各前記パーマ用ロッドのパーマ処理温度及び加熱時間をそれぞれ調整して異なるウェーブ効果を達成し、パーマ過程をよりスムーズにするとともに、パーマ効果を向上することができる。
【図面の簡単な説明】
【００１７】
【図１】従来のパーマ装置と加熱ロッドの立体分解図である。
【図２】本発明のパーマ用ロッドの俯瞰立体分解図である。
【図３】本発明のパーマ用ロッドの仰視立体分解図である。
【図４】本発明のパーマ用ロッドの俯瞰立体図である。
【図５】本発明のパーマ用ロッドの仰視立体図である。
【図６】本発明のパーマ用ロッドのボタンをパーマ処理時に押圧した状態を示す概略図である。
【図７】図６のパーマ用ロッドのボタンを押した後のインジケータランプ発光を示す概略図である。
【発明を実施するための形態】
【００１８】
以下、具体的な実施例に添付の図面を組み合わせ、本発明の目的、技術内容、特徴、及び達成できる効果について、より分かりやすく、詳細に説明する。
【００１９】
図２から図７に示すように、本発明のパーマ用ロッド２は、熱伝導棒３、電熱ユニット４、第１キャップ５、第２キャップ６を含む。
【００２０】
そのうち、前記熱伝導棒３は中空のチャンバ３１を備えている。前記熱伝導棒３はアルミニウム材質で成り、良好な熱伝導性能を備え、重量が軽く、コストが低い。
【００２１】
前記電熱ユニット４は前記熱伝導棒３の前記チャンバ３１内に設置され、前記熱伝導棒３上に熱を伝導する。前記電熱ユニット４は電熱シートを円筒状に巻いて使用し、前記熱伝導棒３の前記チャンバ３１内壁に接触され、これにより熱エネルギーを前記熱伝導棒３に伝達することができる。
【００２２】
前記第１キャップ５は前記熱伝導棒３の一端を封鎖する。前記第１キャップ５内に電源座体５１が固定されて設置され、前記電源座体５１は外部電源に接続するために用いられ、かつ前記電熱ユニット４と電気的に接続される。
【００２３】
前記第２キャップ６は前記熱伝導棒３の他端を封鎖する。前記第２キャップ６は前記熱伝導棒３の他端上に設置される内蓋６１と、前記内蓋６１に連接固定された外蓋６２を含み、前記内蓋６１及び前記外蓋６２の間に収容空間６３が形成される。そのうち、前記第２キャップ６の前記内蓋６１、外蓋６２の間の前記収容空間６３内に回路板７が設置される。前記回路板７は主にマイクロプロセッサ７１と、インジケータランプ７２と、押圧スイッチ７３と、前記回路板７に相隣し、かつ前記外蓋６２の外部に凸出されるボタン７４を備え、前記インジケータランプ７２はＬＥＤランプであり、前記ボタン７４を介して前記押圧スイッチ７３を押圧し、前記押圧スイッチ７３を前記マイクロプロセッサ７１に電気的に接続させ、前記マイクロプロセッサ７１に、予め設定されたプログラムに基づいて前記電熱ユニット４の温度、加熱時間及び前記インジケータランプ７２の発光を制御させる。さらに説明すべきは、押圧する回数の違いを通じて前記ボタン７４が前記マイクロプロセッサ７１を作動させ、前記マイクロプロセッサ７１が押圧回数の違いに基づき前記電熱ユニット４の異なる温度と加熱時間を制御し、かつ前記インジケータランプ７２を制御して前記電熱ユニット４の温度に対応する色を表示させる点である。
【００２４】
本発明の前記パーマ用ロッド２はさらに、前記電熱ユニット４内部に設置され、電気的に接続されたサーミスタ８を含む。
【００２５】
より具体的に説明すると、図２から図５に示すように、前記第２キャップ６の前記内蓋６１中央に孔部６１１が設けられ、電線が穿通されて、前記電源座体５１、前記電熱ユニット４及び前記サーミスタ８が前記回路板７に接続され、前記電源座体５１と前記電熱ユニット４及び前記回路板７が電気的に接続される。前記内蓋６１の前記外蓋６２側に向いた表面上に複数の凸嵌部６１２が設けられ、前記回路板７の外周縁に前記複数の凸嵌部６１２をそれぞれ穿置するための複数の凹陥孔７０が設けられ、前記回路板７を前記内蓋６１上に固定するために用いられる。
【００２６】
より具体的に説明すると、図２から図６に示すように、前記外蓋６２は中央に通孔６２１を備え、前記ボタン７４が軟性シリコン材質で成り、かつ透光性を備え、前記ボタン７４から前記インジケータランプ７２の発光時の色を見て取ることができる。そのうち、前記ボタン７４は一端に阻隔部７４１を備え、前記外蓋６２の前記通孔６２１下端部に当接され、かつ前記阻隔部７４１より外から内に、かつ上に突出した押圧部７４２が設けられ、前記押圧部７４２が前記外蓋６２の前記通孔６２１の外に突出される。さらに、前記押圧部７４２の表面上に手Ｂでの押圧に用いる複数の突起７４３が設けられる（図７参照）。また、前記第２キャップ６の前記外蓋６２は前記ボタン７４の前記阻隔部７４１を前記外蓋６２の前記通孔６２１下端部に当接させることで、パーマ液が前記熱伝導棒３内に浸入しないようにすることができ、防水効果を備えている。
【００２７】
図６及び図７に示すように、本発明の前記マイクロプロセッサ７１には予め前記電熱ユニット４の温度、加熱時間及び前記インジケータランプ７２の発光が設定されており、操作者は使用者の実際の頭髮Ａの髮質、または痛んだ髮質、或いは各部位の頭髮Ａに必要なウェーブ具合の違いに基づき、先に使用者の頭髮Ａを前記パーマ用ロッド２上に巻いてパーマ液を付けた後、前記パーマ用ロッド２の前記電源座体５１の電源を外部接続する。その操作方法は次の通りである。
【００２８】
第１の方法：前記ボタン７４を１回押して、前記マイクロプロセッサ７１を作動させると、前記電熱ユニット４の温度設定が７０℃、加熱時間が８分間と表示され、前記インジケータランプ７２が緑色の光を発する。パーマ処理時間に達すると前記インジケータランプ７２が継続的に点滅して操作者に通知し、操作者がウェーブ具合に基づいてパーマ処理した頭髮Ａを判断する。使用者が各部位の頭髮Ａのウェーブ具合が良好であると確認した場合、パーマの完了後、前記電源座体５１の外部接続電源を抜いて電源をオフにし、前記パーマ用ロッド２を外す。使用者が各部位の頭髮Ａのウェーブ具合が不十分であると判断した場合、使用者が各部位の頭髮Ａに対して求めるウェーブ具合に基づき、再度パーマの温度を上げる。
【００２９】
第２の方法：前記ボタン７４を２回押して、前記マイクロプロセッサ７１を作動させると、前記電熱ユニット４の温度設定が１００℃、加熱時間が８分間と表示され、前記インジケータランプ７２が青色の光を発する。パーマ処理時間に達すると前記インジケータランプ７２が継続的に点滅して操作者に通知し、操作者がウェーブ具合に基づいてパーマ処理した頭髮Ａを判断する。使用者が各部位の頭髮Ａのウェーブ具合が良好であると確認した場合、パーマの完了後、前記電源座体５１の外部接続電源を抜いて電源をオフにし、前記パーマ用ロッド２を外す。使用者が各部位の頭髮Ａのウェーブ具合が不十分であると判断した場合、使用者が各部位の頭髮Ａに対して求めるウェーブ具合に基づき、再度パーマの温度を上げる。
【００３０】
第３の方法：前記ボタン７４を３回押して、前記マイクロプロセッサ７１を作動させると、前記電熱ユニット４の温度設定が１１０℃、加熱時間が８分間と表示され、前記インジケータランプ７２が黄色の光を発する。パーマ処理時間に達すると前記インジケータランプ７２が継続的に点滅して操作者に通知し、操作者がウェーブ具合に基づいてパーマ処理した頭髮Ａを判断する。使用者が各部位の頭髮Ａのウェーブ具合が良好であると確認した場合、パーマの完了後、前記電源座体５１の外部接続電源を抜いて電源をオフにし、前記パーマ用ロッド２を外す。使用者が各部位の頭髮Ａのウェーブ具合が不十分であると判断した場合、使用者が各部位の頭髮Ａに対して求めるウェーブ具合に基づき、再度パーマの温度を上げる。
【００３１】
第４の方法：前記ボタン７４を４回押して、前記マイクロプロセッサ７１を作動させると、前記電熱ユニット４の温度設定が１２０℃、加熱時間が８分間と表示され、前記インジケータランプ７２が赤色の光を発する。パーマ処理時間に達すると前記インジケータランプ７２が継続的に点滅して操作者に通知し、操作者がウェーブ具合に基づいてパーマ処理した頭髮Ａを判断する。使用者が各部位の頭髮Ａのウェーブ具合が良好であると確認した場合、パーマの完了後、前記電源座体５１の外部接続電源を抜いて電源をオフにし、前記パーマ用ロッド２を外す。
【００３２】
上述の４つの操作方法では、前記インジケータランプ７２が点滅し、パーマ処理時間に達した時、操作者がパーマのウェーブ具合を最後に判断し、パーマ処理した頭髮Ａのウェーブ具合が不十分な場合、実際のウェーブ具合のニーズまたは各部位の頭髮Ａのウェーブ具合に基づいて、再度１回、２回、３回または４回前記ボタン７４を押す。操作者がパーマ方式の違いによる必要性及び各髮質とウェーブ具合の違いに基づき、複数の前記パーマ用ロッド２を利用してパーマ処理作業を便利に行うことができ、使用者が求めるパーマのウェーブ効果を達することができる。
【００３３】
上述のように、本発明は使用者が各前記パーマ用ロッド２を通じて、使用者の各部位の頭髮Ａに必要なウェーブ具合または各髮質の違いに基づき、各前記パーマ用ロッド２のパーマ温度及び加熱時間をそれぞれ制御して、異なるウェーブ効果を達成することができ、パーマ過程をよりスムーズにするとともに、パーマ効果を向上することができる。このため、本発明の使用において、従来のものと主に異なるのは、本発明の各前記パーマ用ロッド２は従来の前記パーマ装置１のように温度及び加熱時間を統一制御する必要がなく、各前記パーマ用ロッド２に独立制御機能を具備させている点である。
【符号の説明】
【００３４】
(先行技術)
１        パーマ装置
１１      接続端
１２      加熱ロッド
(本発明)
２        パーマ用ロッド
３        熱伝導棒
３１      チャンバ
４        電熱ユニット
５        第１キャップ
５１      電源座体
６        第２キャップ
６１      内蓋
６１１    孔部
６１２    凸嵌部
６２      外蓋
６２１    通孔
６３      収容空間
７        回路板
７０      凹陥孔
７１      マイクロプロセッサ
７２      インジケータランプ
７３      押圧スイッチ
７４      ボタン
７４１    阻隔部
７４２    押圧部
７４３    突起
８        サーミスタ
Ａ        頭髮
Ｂ        指
【図１】
2019030574.tif 000003
【図２】
2019030574.tif 000004
【図３】
2019030574.tif 000005
【図４】
2019030574.tif 000006
【図５】
2019030574.tif 000007
【図６】
2019030574.tif 000008
【図７】
2019030574.tif 000009